(57)【要約】【課題】光源を別途配することなく、表示面の外周部における輝度を向上させること。【解決手段】バックライト装置は、複数のＬＥＤ２８と、板面上に複数のＬＥＤ２８が取り付けられてなるＬＥＤ基板３０と、平面視矩形状をなす底板２２ａを有し、ＬＥＤ２８を露出する形で底板２２ａ上にＬＥＤ基板３０が取り付けられてなるシャーシ２２と、ＬＥＤ基板３０及び底板２２ａ上に跨って敷設され、底板２２ａの板面に沿って延在するとともに底板２２ａの大部分を覆う大きさの底部２０ａと、底部２０ａの外端からＬＥＤ２８の光出射側に立ち上がるとともに底部２０ａに対して傾斜状をなす立ち上がり部２０ｂ１と、を有する反射シート２０と、立ち上がり部２０ｂ上に配され、ＬＥＤ２８の光出射側に突起するとともに、ＬＥＤ２８側とＬＥＤ２８の光出射側との両者に露出して光を反射する露出面を有する突起片３４と、を備える。【選択図】図５
2013143217.tif 000002
【特許請求の範囲】
【請求項１】
複数の光源と、
板面上に複数の前記光源が取り付けられてなる光源基板と、
少なくとも平面視矩形状をなす板状部を有し、前記光源を露出する形で該板状部上に前記光源基板が取り付けられてなるシャーシと、
前記光源基板及び前記板状部上に跨って敷設され、前記光源と重畳する部位に前記光源が挿通される光源挿通孔が設けられるとともに、前記板状部の板面に沿って延在するとともに該板状部の大部分を覆う大きさの底部と、該底部の外端から前記光源の光出射側に立ち上がるとともに該底部に対して傾斜状をなす立ち上がり部と、を有する反射シートと、
前記立ち上がり部上に配され、前記光源の光出射側に突起するとともに、少なくとも前記光源側と前記光源の光出射側との両者に露出して光を反射する露出面を有する突起片と、
を備える照明装置。
【請求項２】
前記突起片は、前記立ち上がり部と当接する当接面と、前記露出面に相当し、前記立ち上がり部の傾斜角度より大きな傾斜角度の傾斜面と、を有し、断面視において三角形状をなしている、請求項１に記載の照明装置。
【請求項３】
前記突起片は、前記立ち上がり部と当接する当接面と、前記露出面に相当する曲面と、を有し、断面視においてアーチ状をなしている、請求項１に記載の照明装置。
【請求項４】
前記立ち上がり部の立ち上がり基端から立ち上がり先端に亘って複数の前記突起片が配されている、請求項１から請求項３のいずれか１項に記載の照明装置。
【請求項５】
前記光源は指向特性を有する光源であり、
前記光源の指向特性に応じて複数の前記突起片の間隔が調整されている、請求項４に記載の照明装置。
【請求項６】
前記光源は指向特性を有する光源であり、
前記光源の指向特性に応じて複数の前記突起片の大きさが調整されている、請求項４に記載の照明装置。
【請求項７】
前記立ち上がり部及び前記突起片がプラスチック製とされている、請求項１から請求項６のいずれか１項に記載の照明装置。
【請求項８】
前記立ち上がり部と前記突起片とが一体成形されている、請求項１から請求項７のいずれか１項に記載の照明装置。
【請求項９】
請求項１から請求項８のいずれか１項に記載の照明装置からの光を利用して表示を行う表示パネルを備える表示装置。
【請求項１０】
前記表示パネルが液晶を用いた液晶パネルである、請求項９に記載の表示装置。
【請求項１１】
請求項９又は請求項１０に記載の表示装置を備える、テレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、液晶パネルに対してその背面から光を直接供給する直下型のバックライト装置が知られている。
【０００３】
直下型のバックライト装置において、光源から出射されて表示面とは反対側に向かった光を表示面側へ反射させるための反射シートが、光源基板上及び筺体としてのシャーシの底板上に敷設された構成が知られている。このような構成のバックライト装置では、通常、反射シートの外周部が光源の光出射側に立ち上がる傾斜状とされている。
【０００４】
ところで、上記のような反射シートを備える直下型のバックライト装置において光源としてＬＥＤを配する場合、液晶パネルの表示面におけるシャーシの底板の外周部と重畳する部位では、ＬＥＤの配置の関係からＬＥＤからの光が一方向又は二方向からしか届かないため、当該液晶パネルに到達する光の光量が少ない。このため、液晶パネルの表示面の外周部が暗く表示されることがある。
【０００５】
液晶パネルの表示面の外周部が暗く表示されることを抑制できるバックライト装置が、例えば特許文献１に開示されている。このバックライト装置は、シャーシの底板上に複数の冷陰極管が並列して配されるとともに、液晶パネルの四隅の背後にそれぞれＬＥＤが配された構成とされている。このバックライト装置では、液晶パネルの四隅の背後にＬＥＤが配されることによって、液晶パネルの表示面における外周部のうち液晶パネルの四隅と重畳する部位の輝度が向上する。これにより、液晶パネルの表示面の外周部における輝度が向上し、外周部が暗く表示されることが抑制される。
【先行技術文献】
【特許文献】
【０００６】
【特許文献１】特開２０１０−２１０７５０号公報
【発明の概要】
【発明が解決しようとする課題】
【０００７】
しかしながら、上記の特許文献１のバックライト装置では、液晶パネルの表示面の外周部における液晶パネルの四隅と重畳する部位の輝度が向上されるのみであり、液晶パネルの表示面の外周部における他の暗部の輝度を向上させることができない。即ち、液晶パネルの表示面の外周部全域において輝度を向上させることができない。さらに、液晶パネルの四隅の背後に別途ＬＥＤを要することから部材コストが増加し、製造工程も複雑なものとなる。
【０００８】
本明細書で開示される技術は、上記の課題に鑑みて創作されたものである。本明細書で開示される技術は、光源を別途配することなく、表示面の外周部における輝度を向上させることが可能な直下型の照明装置を提供することを目的とする。
【課題を解決するための手段】
【０００９】
本明細書で開示される技術は、複数の光源と、板面上に複数の前記光源が取り付けられてなる光源基板と、少なくとも平面視矩形状をなす板状部を有し、前記光源を露出する形で該板状部上に前記光源基板が取り付けられてなるシャーシと、前記光源基板及び前記板状部上に跨って敷設され、前記光源と重畳する部位に前記光源が挿通される光源挿通孔が設けられるとともに、前記板状部の板面に沿って延在するとともに該板状部の大部分を覆う大きさの底部と、該底部の外端から前記光源の光出射側に立ち上がるとともに該底部に対して傾斜状をなす立ち上がり部と、を有する反射シートと、前記立ち上がり部上に配され、前記光源の光出射側に突起するとともに、少なくとも前記光源側と前記光源の光出射側との両者に露出して光を反射する露出面を有する突起片と、を備える照明装置に関する。
【００１０】
このような照明装置によれば、突起片が立ち上がり部から突起するように配されているので、立ち上がり部の近傍に配された光源から出射されて突起片の露出面によって反射される光は、立ち上がり部の表面によって反射される場合よりもその反射部位からより直上へ向かうものとなる。このため、立ち上がり部の直上における表示面の輝度を向上させることができ、表示面の外周部における輝度を向上させることができる。
【００１１】
前記突起片は、前記立ち上がり部と当接する当接面と、前記露出面に相当し、前記立ち上がり部の傾斜角度より大きな傾斜角度の傾斜面と、を有し、断面視において三角形状をなしていてもよい。
この構成によると、光源から出射される光の特性に応じて、突起片の具体的な形状を実現することができる。
【００１２】
前記突起片は、前記立ち上がり部と当接する当接面と、前記露出面に相当する曲面と、を有し、断面視においてアーチ状をなしていてもよい。
この構成によると、光源から出射される光の特性に応じて、突起片の具体的な形状を実現することができる。
【００１３】
前記立ち上がり部の立ち上がり基端から立ち上がり先端に亘って複数の前記突起片が配されていてもよい。
この構成によると、複数の突起片の各露出面によって立ち上がり部の近傍に配された光源から出射された光を効果的に立ち上がり部の直上へと反射させることができる。これにより、表示面の外周部における輝度を一層向上させることができる。
【００１４】
前記光源は指向特性を有する光源であり、前記光源の指向特性に応じて複数の前記突起片の間隔が調整されていてもよい。
この構成によると、立ち上がり部の近傍に配された光源から出射された光を効果的に立ち上がり部の直上へと反射させることができる。
【００１５】
前記光源は指向特性を有する光源であり、前記光源の指向特性に応じて複数の前記突起片の大きさが調整されていてもよい。
この構成によると、立ち上がり部の近傍に配された光源から出射された光を効果的に立ち上がり部の直上へと反射させることができる。
【００１６】
前記立ち上がり部及び前記突起片がプラスチック製とされていてもよい。
この構成によると、立ち上がり部及び突起片を成形し易いものとすることができるとともに、両者の剛性を高めることができる。
【００１７】
前記立ち上がり部と前記突起片とが一体成形されていてもよい。
この構成によると、反射シート及び突起片を成形し易いものとすることができるとともに、製造工程を簡単にすることができる。
【００１８】
本明細書で開示される技術は、上記の照明装置からの光を利用して表示を行う表示パネルと、を備える表示装置として表現することもできる。また、上記表示パネルを、液晶を用いた液晶パネルとする表示装置も、新規で有用である。また、上記の表示装置を備えるテレビ受信装置も、新規で有用である。
【発明の効果】
【００１９】
本明細書で開示される技術によれば、光源を別途配することなく、表示面の外周部における輝度を向上させることが可能な直下型の照明装置を提供することができる。
【図面の簡単な説明】
【００２０】
【図１】実施形態１に係るテレビ受信装置ＴＶの分解斜視図
【図２】液晶表示装置１０の分解斜視図
【図３】バックライト装置２４の平面図
【図４】図３におけるiv−iv断面の断面図であって、バックライト装置２４の長辺方向に沿った断面図
【図５】図４において、立ち上がり部２０ｂ近傍を拡大した拡大断面図
【図６】実施形態２において、立ち上がり部１２０ｂ近傍を拡大した拡大断面図
【図７】実施形態３において、立ち上がり部２２０ｂ近傍を拡大した拡大断面図
【図８】実施形態４において、立ち上がり部３２０ｂ近傍を拡大した拡大断面図
【発明を実施するための形態】
【００２１】
＜実施形態１＞
図面を参照して実施形態１を説明する。本実施形態では、液晶表示装置１０について例示する。なお、各図面の一部にはＸ軸、Ｙ軸及びＺ軸を示しており、各軸方向が各図面で示した方向となるように描かれている。また、図２に示す上側を表側とし、同図下側を裏側とする。
【００２２】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ、Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。
【００２３】
液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれ一致させた状態で収容されている。この液晶表示装置１０は、図２に示すように、表示パネルである液晶パネル１６と、外部光源であるバックライト装置（照明装置の一例）２４とを備え、これらが枠状のベゼル１２などにより一体的に保持されるようになっている。
【００２４】
（液晶パネル）
液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２５】
（バックライト装置）
続いて、液晶表示装置１０におけるバックライト装置２４の構成について説明する。バックライト装置２４は、図２に示すように、略箱型をなすシャーシ２２と、光出射面側（液晶パネル１６側）を覆う形で配される光学部材１８と、シャーシ２２の外縁部に沿って配され、光学部材１８の外端部をシャーシ２２との間で挟んで保持するフレーム１４とを備える。さらに、シャーシ２２内には、図４及び図５に示すように、光学部材１８（液晶パネル１６）の直下となる位置に対向状に配されるＬＥＤ（光源の一例）２８と、ＬＥＤ２８が実装されたＬＥＤ基板３０と、ＬＥＤ基板３０においてＬＥＤ２８に対応した位置に取り付けられる拡散レンズ２７とが備えられる。このように、本実施形態に係るバックライト装置２４は、いわゆる直下型とされる。その上、シャーシ２２内には、光学部材１８を支持することが可能な支持部材２６と、シャーシ２２内の光を光学部材１８側に反射させる反射シート２０とが備えられる。続いて、バックライト装置２４の各構成物品について詳しく説明する。
【００２６】
（シャーシ）
シャーシ２２は、金属製とされ、図３及び図４に示すように、液晶パネル１６と同様に横長の方形状（矩形状、長方形状）をなす底板（板状部の一例）２２ａと、底板２２ａの各辺（一対の長辺及び一対の短辺）の端辺からそれぞれ表側（光出射側）に向けて立ち上がる側板２２ｂとからなり、全体としては表側に向けて開口した浅い略箱型をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム１４及び次述する光学部材１８が載置可能とされる。各受け板２２ｃには、フレーム１４がねじ止めされている。シャーシ２２の底板２２ａには、支持部材２６を取り付けるための取付孔（図示せず）が開口して設けられている。取付孔は、底板２２ａにおいて支持部材２６の取付位置に対応して複数分散配置されている。
【００２７】
（光学部材）
光学部材１８は、図２に示すように、液晶パネル１６及びシャーシ２２と同様に平面に視て横長の方形状をなしている。光学部材１８は、図４に示すように、その外縁部が受け板２２ｃに載せられることで、ＬＥＤ２８の光出射側を覆うとともに、液晶パネル１６と拡散レンズ２７（ＬＥＤ基板３０）との間に介在して配される。光学部材１８は、裏側（拡散レンズ２７側、光出射側とは反対側）に配される拡散板１８ａと、表側（液晶パネル１６側、光出射側）に配される光学シート１８ｂとから構成される。拡散板１８ａは、所定の厚みを持つほぼ透明な樹脂製で板状をなす基材内に拡散粒子を多数分散して設けた構成とされ、透過する光を拡散させる機能を有する。光学シート１８ｂは、拡散板１８ａと比べると板厚が薄いシート状をなしており、２枚が積層して配されている。具体的な光学シート１８ｂの種類としては、例えば拡散シート、レンズシート、反射型偏光シートなどがあり、これらの中から適宜に選択して使用することが可能である。
【００２８】
（フレーム）
フレーム１４は、図２に示すように、液晶パネル１６及び光学シート１８ｂの外周縁部に沿う枠状をなしている。このフレーム１４と各受け板２２ｃとの間で光学部材１８における外縁部を挟持可能とされている（図４参照）。また、このフレーム１４は、液晶パネル１６における外縁部を裏側から受けることができ、表側に配されるベゼル１２との間で液晶パネル１６の外縁部を挟持可能とされる（図４参照）。
【００２９】
（ＬＥＤ）
ＬＥＤ２８は、ＬＥＤ基板（光源基板の一例）３０上に実装されるとともにＬＥＤ２８に対する実装面とは反対側の面が発光面となる、いわゆるトップ型とされる。ＬＥＤ２８は、発光源として青色光を発するＬＥＤチップ（図示しない）を備えるとともに、青色光により励起して発光する蛍光体として、緑色蛍光体と赤色蛍光体とを備えている。詳しくは、ＬＥＤ２８は、ＬＥＤ基板３０に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２８は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２８は、ＬＥＤチップからの青色成分の光と、黄色成分の光とを併せ持っている、とも言える。このＬＥＤ２８の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２８の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３０】
（ＬＥＤ基板）
ＬＥＤ基板３０は、平面視方形状をなす基材を有しており、一方の辺の方向がＸ軸方向と一致し、他方の辺の方向がＹ軸方向と一致する状態でシャーシ２２内において底板２２ａに沿って延在しつつ収容されている。このＬＥＤ基板３０の基材の板面のうち、表側を向いた面（光学部材１８側を向いた面）には、ＬＥＤ２８が表面実装されている。ＬＥＤ２８は、その発光面が光学部材１８（液晶パネル１６）と対向状をなすとともに、その光軸がＺ軸方向、つまり液晶パネル１６の表示面と直交する方向と一致している。ＬＥＤ２８は、ＬＥＤ基板３０における一方の辺の方向（Ｘ軸方向）及び他方の辺の方向（Ｙ軸方向）に沿って複数が並列して配されるとともに、ＬＥＤ基板３０に形成された配線パターン（図示しない）により直列接続されている。各ＬＥＤ２８の配列ピッチは、ほぼ一定となっており、つまり各ＬＥＤ２８は、ほぼ等間隔に配列されていると言える。
【００３１】
上記した構成のＬＥＤ基板３０に実装されたＬＥＤ２８は、シャーシ２２内において共にＸ軸方向（シャーシ２２の長辺方向）を行方向とし、Ｙ軸方向（シャーシ２２の短辺方向）を列方向として行列状に配置（マトリクス状に配置、平面配置）されている。また、ＬＥＤ基板３０の基材は、シャーシ２２と同じアルミ系材料などの金属製とされ、その表面に絶縁層を介して銅箔などの金属膜からなる上述した配線パターン（図示せず）が形成され、さらには最外表面には、光の反射性に優れた白色を呈する反射層（図示せず）が形成された構成とされる。この配線パターンによりＬＥＤ基板３０上に並列配置された各ＬＥＤ２８同士が直列に接続されている。なお、ＬＥＤ基板３０の基材に用いる材料としては、セラミックなどの絶縁材料を用いることも可能である。
【００３２】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図５に示すように、所定の厚みを有するとともに、平面に視て略円形状に形成されており、ＬＥＤ基板３０に対して各ＬＥＤ２８を表側から個別に覆うよう、つまり平面に視て各ＬＥＤ２８と重畳するようそれぞれ取り付けられている。詳しくは、この拡散レンズ２７は、平面に視てＬＥＤ２８とほぼ同心となる位置に配されている。このため、拡散レンズ２７もまた、シャーシ２２内においてマトリクス状に配置された構成となっている。拡散レンズ２７は、平面視円形の平板状をなす基部２７ａと、扁平な半球状をなす半球部３２ｂとを備えている。拡散レンズ２７の周縁部近傍には、軸状の３つの支持足３１が基部２７ａの裏側から突設されている。３つの支持足３１は平面視で拡散レンズ２７の中心部（ＬＥＤ２８と重畳する部位）から等間隔となる位置に配置されており、例えば接着剤や熱硬化性樹脂等によりＬＥＤ基板３０の表面に接着されている。拡散レンズ２７は、支持足３１によってＬＥＤ基板３０の表面に支持されている。そして、この拡散レンズ２７は、ＬＥＤ２８から発せられた指向性の強い光を拡散させつつ出射させることができる。つまり、ＬＥＤ２８から発せられた光は、拡散レンズ２７を介することにより指向性が緩和されるので、隣り合うＬＥＤ２８間の間隔を広くとってもその間の領域が暗部として視認され難くなる。これにより、ＬＥＤ２８の設置個数を少なくすることが可能となっている。
【００３３】
（支持部材）
支持部材２６について説明する。支持部材２６は、ポリカーボネートなどの合成樹脂製とされており、表面が光の反射性に優れた白色を呈する。支持部材２６は、図４に示すように、ＬＥＤ基板３０の板面に沿う本体部２６ａと、本体部２６ａから裏側、つまりシャーシ２２側に向けて突出してシャーシ２２に固定される固定部２６ｂと、本体部２６ａから表側に突出する支持ピン２６ｃと、を備える。本体部２６ａは、平面に視て略円形状の板状をなすとともに、シャーシ２２の底板２２ａとの間で少なくともＬＥＤ基板３０を挟持可能とされる。固定部２６ｂは、ＬＥＤ基板３０及びシャーシ２２の底板２２ａにおける支持部材２６の取付位置に対応してそれぞれ形成された挿通孔及び取付孔を貫通しつつ底板２２ａに対して係止可能とされる。支持ピン２６ｃは、光学部材１８（直接的には拡散板１８ａ）を裏側から支持することが可能とされ、それによりＬＥＤ２８と光学部材１８とのＺ軸方向の位置関係を一定に維持することができるとともに光学部材１８の不用意な変形を規制することができる。なお、支持部材２６は、本体部２６ａとシャーシ２２の底板２２ａとの間でＬＥＤ基板３０と共に反射シート２０の底部２０ａを挟持している。
【００３４】
（反射シート）
反射シート２０は、合成樹脂製とされ、表面が光の反射性に優れた白色を呈する反射面とされる。反射シート２０は、図３に示すように、シャーシ２２の内面のほぼ全域にわたって敷設される大きさを有しているので、シャーシ２２内に並列して配された全ＬＥＤ基板３０を表側から一括して覆うことが可能とされる。この反射シート２０によりシャーシ２２内の光を光学部材１８側に向けて効率的に立ち上げることができる。反射シート２０は、シャーシ２２の底板２２ａに沿って延在するとともに底板２２ａの大部分を覆う大きさの底部２０ａと、底部２０ａの短辺側の外端及び底部２０ａの長辺側の外端からそれぞれ表側に立ち上がり、底部２０ａに対して傾斜状をなすとともに、プラスチック製とされた立ち上がり部２０ｂと、立ち上がり部２９ｂの外端から外向きに延出するとともにシャーシ２２の受け板２２ｃに載せられる延出部２０ｃとから構成されている。この反射シート２０の底部２０ａが各ＬＥＤ基板３０における表側の面、つまりＬＥＤ２８の実装面に対して表側になるよう配される。また、反射シート２０の底部２０ａには、各拡散レンズ２７（各ＬＥＤ２８）と平面視重畳する位置に各拡散レンズ２７（各ＬＥＤ２８）を挿通する平面視円形をなす光源挿通孔２０ｄが開口して設けられている。
【００３５】
（本実施形態の要部に係る構成についての説明）
続いて、本実施形態の要部である、反射シート２０の立ち上がり部２０ｂの構成について詳しく説明する。図２乃至図４に示すように、立ち上がり部２０ｂ上には、ＬＥＤ２８の光出射側（表側）に突起する３つの突起片３４が配されている。各突起片３４は、立ち上がり部２０ｂと同様にシャーシ２２の長辺方向（Ｘ軸方向）及び短辺方向（Ｙ軸方向）に沿って延在している。各突起片３４は、断面視において三角形状をなし（図５参照）、立ち上がり部２０ｂと当接する当接面３４ａと、傾斜面３４ｂと、を有している。各突起片３４に設けられた面のうち傾斜面３４ｂは、図５に示すように、拡散レンズ２７（ＬＥＤ２４）側と拡散レンズ２７（ＬＥＤ２４）の光出射側（表側）との両者に露出する露出面となっており、ＬＥＤ２４からの光を反射することが可能となっている。また、この傾斜面３４ｂは、シャーシ２２の底板２２ａ（又は底板２２ａと平行とされたＬＥＤ基板３０の板面）に対してなす角度θ２が、立ち上がり部２０ｂの傾斜状の面がシャーシ２２の底板２２ａ（又は底板２２ａと平行とされたＬＥＤ基板３０の板面）に対してなす角度θ１よりも大きな傾斜角度となるように設けられている。なお、各突起片３４は、立ち上がり部２０ｂと同様にプラスチック製とされ、立ち上がり部２０ｂ上に接着等によって取り付けられている。
【００３６】
さて、上記のように、反射シート２０の立ち上がり部２０ｂ上に当該立ち上がり部２０の傾斜状の面より傾斜角度が大きな露出面（傾斜面３４ｂ）を有する突起片３４が配されていることから、例えば、シャーシ２２の底板２２ａの外周部近傍に配された拡散レンズ２７の基部２７ａから出射されて各突起片３４に向かった光は、図５における一点鎖線で示すように、各突起片３４によってその反射部位からそのほぼ直上へと反射されることとなる。このため、各突起片３４によって反射されて液晶パネル１６側へと向かう光は、立ち上がり部２０の面によって反射されて液晶パネル１６側へ向かう場合よりも反射に伴う光量の減少が少ないため、液晶パネル１６の表示面における輝度が向上される。即ち、シャーシ２２の底板２２ａの外周部近傍に配された拡散レンズ２７（ＬＥＤ２８）から出射された光が各突起片３４によって反射されることで、液晶パネル１６の表示面の外周部における輝度が向上された構成となっている。
【００３７】
以上のように本実施形態に係るバックライト装置２４では、突起片３４が立ち上がり部２０ｂから突起するように配されているので、立ち上がり部２０ｂの近傍に配されたＬＥＤ２８から出射されて突起片３４の露出面によって反射される光は、立ち上がり部２０ｂの表面によって反射される場合よりもその反射部位からより直上へ向かうものとなる。このため、立ち上がり部２０ｂの直上における液晶パネル１６の表示面の輝度を向上させることができ、液晶パネル１６の表示面の外周部における輝度を向上させることができる。
【００３８】
また、本実施形態に係るバックライト装置２４では、シャーシ２２の底板２２ａの端部に別途ＬＥＤ２８を配しなくとも、液晶パネル１６の表示面の外周部における輝度を向上させることができるので、部材コストや製造コストが嵩むことがない。
【００３９】
また、本実施形態に係るバックライト装置２４では、突起片３４が、立ち上がり部２０ｂと当接する当接面３４ａと、露出面に相当し、立ち上がり部２０ｂの傾斜角度より大きな傾斜角度の傾斜面３４ｂと、を有し、断面視において三角形状をなしている。このように、ＬＥＤ２８から出射される光の特性に応じて、突起片３４の具体的な形状が実現されている。
【００４０】
また、本実施形態に係るバックライト装置２４では、立ち上がり部２０ｂの立ち上がり基端から立ち上がり先端に亘って複数の突起片３４が配されている。このため、複数の突起片３４の各露出面によって立ち上がり部２０ｂの近傍に配されたＬＥＤ２８から出射された光を効果的に立ち上がり部２０ｂの直上へと反射させることができる。これにより、液晶パネル１６の表示面の外周部における輝度を一層向上させることができる。
【００４１】
また、本実施形態に係るバックライト装置２４では、立ち上がり部２０ｂ及び突起片３４がプラスチック製とされていてもよい。このため、立ち上がり部２０ｂ及び突起片３４を成形し易いものとすることができるとともに、両者の剛性を高めることができる。
【００４２】
また、本実施形態に係るバックライト装置２４では、立ち上がり部２０ｂと突起片３４とが一体成形されている。このため、反射シート２０及び突起片３４を成形し易いものとすることができるとともに、バックライト装置２４の製造工程を簡単にすることができる。
【００４３】
＜実施形態２＞
図面を参照して実施形態２を説明する。実施形態２は、立ち上がり部１２０ｂ上に配された複数の突起片１３４の大きさが実施形態１のものと異なっている。その他の構成については実施形態１のものと同様であるため、構造、作用、及び効果の説明は省略する。なお、図６において、それぞれ図５の参照符号に数字１００を加えた部位は、実施形態１で説明した部位と同一である。
【００４４】
実施形態２に係るバックライト装置１２４では、図６に示すように、３つの突起片１３４の大きさが異なるものとなっている。具体的には、各突起片１３４は、立ち上がり部１２０ｂの立ち上がり基端１２０ｆ１側から立ち上がり先端１２０ｆ２側に向かうにつれて大きくなっている。ここで、ＬＥＤ１２８は指向性を有する光源であり、本実施形態では、ＬＥＤ１２８の指向特性に応じて３つの突起片１３４の大きさが調整されている。即ち、本実施形態では、ＬＥＤ１２８の指向特性が、立ち上がり先端１２０ｆ２側へ向かう光の光量が立ち上がり基端１２０ｆ１側へ向かう光の光量よりも大きいものとなっており、これに応じて、立ち上がり先端１２０ｆ２側では、より大きな突起片１３４が配された構成となっている。このようにＬＥＤ１２８の指向特性に応じて各突起片１３４の大きさが調整されることにより、立ち上がり部１２０ｂの近傍に配されたＬＥＤ１２８から出射された光を効果的に立ち上がり部１２０ｂの直上へと反射させることができる。
【００４５】
また、本実施形態では、それぞれプラスチック製とされた立ち上がり部１２０ｂと各突起片１３４とが一体成形されている。このため、反射シート１２０及び突起片１３４を成形し易いものとすることができるとともに、バックライト装置１２４の製造工程を簡単にすることができる。
【００４６】
＜実施形態３＞
図面を参照して実施形態３を説明する。実施形態３は、立ち上がり部２２０ｂ上に配された複数の突起片２３４の間の間隔が実施形態１のものと異なっている。その他の構成については実施形態１のものと同様であるため、構造、作用、及び効果の説明は省略する。なお、図７において、それぞれ図５の参照符号に数字２００を加えた部位は、実施形態１で説明した部位と同一である。
【００４７】
実施形態３に係るバックライト装置２２４では、図７に示すように、３つの突起片２３４の間の間隔が異なるものとなっている。具体的には、各突起片２３４の間の間隔Ｗ１、Ｗ２は、立ち上がり部２２０ｂの立ち上がり基端２２０ｆ１側から立ち上がり先端２２０ｆ２側に向かうにつれて大きくなっている。従って、Ｗ２＞Ｗ１の関係が成立している。ここで、ＬＥＤ２２８は指向性を有する光源であり、本実施形態では、ＬＥＤ２２８の指向特性に応じて３つの突起片２３４の間の間隔が調整されている。即ち、本実施形態では、ＬＥＤ２２８の指向特性が、立ち上がり基端２２０ｆ１側へ向かう光の光量が立ち上がり先端２２０ｆ２側へ向かう光の光量よりも大きいものとなっており、これに応じて、立ち上がり基端２２０ｆ１側では、突起片２３４の間隔が小さなものとなっている。このようにＬＥＤ２２８の指向特性に応じて各突起片２３４の間の間隔が調整されることにより、立ち上がり部２２０ｂの近傍に配されたＬＥＤ２２８から出射された光を効果的に立ち上がり部２２０ｂの直上へと反射させることができる。
【００４８】
＜実施形態４＞
図面を参照して実施形態４を説明する。実施形態３は、立ち上がり部３２０ｂ上に配された複数の突起片３３４の形状が実施形態１のものと異なっている。その他の構成については実施形態１のものと同様であるため、構造、作用、及び効果の説明は省略する。なお、図８において、それぞれ図５の参照符号に数字３００を加えた部位は、実施形態１で説明した部位と同一である。
【００４９】
実施形態４に係るバックライト装置３２４では、図８に示すように、立ち上がり部３２０ｂ上に配された３つの突起片３３４が、それぞれ断面視においてアーチ状をなし、立ち上がり部３２０ｂと当接する当接面３３４ａと、露出面に相当する曲面３３４ｂと、を有している。突起片３３４がこのような形状である場合であっても、露出面に相当する曲面３３４ｂの一部が拡散レンズ３２７（ＬＥＤ３２４）側と拡散レンズ３２７（ＬＥＤ３３４）の光出射側（表側）との両者に露出しているから、曲面３３４ｂによって反射される光はその反射部位からほぼ直上へ向かうものとなり、立ち上がり部３２０ｂの直上における液晶パネル３１６の表示面の輝度を向上させることができる。特に、ＬＥＤ３２８の指向特性が、傾斜面で光を反射させるよりも曲面によって光を反射させることが効果的であるような特性である場合に好適である。
【００５０】
上記の各実施形態の変形例を以下に列挙する。
（１）上記の各実施形態では、立ち上がり部上に配された突起片の形状が断面視三角形状又は断面視アーチ状とされた構成を例示したが、突起片の形状は限定されない。
【００５１】
（２）上記の各実施形態では、反射シートの立ち上がり部がプラスチック製とされた構成を例示したが、立ち上がり部を構成する材料は限定されない。
【００５２】
（３）上記の各実施形態では、ＬＥＤの光出射側の各々が拡散レンズによって覆われている構成を例示したが、拡散レンズが配されていない構成であってもよい。このような場合、拡散レンズが配される場合に比してＬＥＤからの光の拡散効果が低く、液晶パネルの表示面の外周部が特に暗く表示され得るため、本実施形態における輝度の向上効果が好適なものとなる。
【００５３】
（４）上記の各実施形態以外にも、立ち上がり部上に配された突起片の形状、材料等については、適宜に変更可能である。
【００５４】
（５）上記の各実施形態以外にも、立ち上がり部上に配された複数の突起片の大きさ、間隔等については、適宜に変更可能である。
【００５５】
（６）上記の各実施形態では、表示パネルとして液晶パネルを用いた液晶表示装置を例示したが、他の種類の表示パネルを用いた表示装置にも本発明は適用可能である。
【００５６】
（７）上記の各実施形態では、チューナーを備えたテレビ受信装置を例示したが、チューナーを備えない表示装置にも本発明は適用可能である。
【００５７】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５８】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５９】
ＴＶ…テレビ受信装置、Ｃａ、Ｃｂ…キャビネット、Ｔ…チューナー、ＶＣ…画像変換回路基板、Ｓ…スタンド、１０…液晶表示装置、１２、１１２、２１２…ベゼル、１４、１１４、２１４…フレーム、１６、１１６、２１６…液晶パネル、１８、１１８、２１８…光学部材、２０、１２０、２２０…反射シート、２０ａ、１２０ａ、２２０ａ…底部、２０ｂ、１２０ｂ、２２０ｂ…立ち上がり部、２２、１２２、２２２…シャーシ、２２ａ、１２２ａ、２２２ａ…底板、２４、１２４、２２４…バックライト装置、２６、１２６、２２６：支持部材、２７、１２７、２２７…拡散レンズ、２８、１２８、２２８…ＬＥＤ、３０、１３０、２３０…ＬＥＤ基板、３１、１３１、２３１…支持足、３４、１３４、２３４…突起片
【図１】
2013143217.tif 000003
【図２】
2013143217.tif 000004
【図３】
2013143217.tif 000005
【図４】
2013143217.tif 000006
【図５】
2013143217.tif 000007
【図６】
2013143217.tif 000008
【図７】
2013143217.tif 000009
【図８】
2013143217.tif 000010